【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
アンカー部材を骨に挿入するためのシステムであって、
長手方向軸（Ｚ）に沿って細長い受容部材（１０６）であって、前記受容部材（１０６）は、近位端（１１２）と、前記長手方向軸（Ｚ）に沿って前記近位端（１１２）から離間した遠位端（１１４）と、を有し、前記受容部材（１０６）は、伝達要素（２００）を画定する内側表面（１４６）を有する、受容部材（１０６）と、
前記受容部材（１０６）内に受容可能なアンカー部材（１２）であって、前記アンカー部材（１２）は、前記伝達要素（２００）を回転可能に係合するように構成されている係合要素（２２）を有し、結果として前記伝達要素（２００）は、前記伝達要素（２００）から前記係合要素（２２）を回転可能に分離するように前記伝達要素（２００）に対して遠位方向に前記アンカー部材（１２）を駆動するように構成されている、アンカー部材（１２）と、を備え、前記遠位方向は、前記受容部材（１０６）の前記近位端（１１２）から前記遠位端（１１４）まで延在し、前記長手方向軸（Ｚ）と平行である、システム。
【請求項２】
前記係合要素（２２）が前記伝達要素（２００）と回転可能に係合されている間に、前記アンカー部材（１２）に軸方向の駆動力を前記遠位方向に加えるために、前記アンカー部材（１２）の近位端（６）に当接するように構成されているドライバ（１０２）を更に備える、請求項１に記載のシステム。
【請求項３】
前記伝達要素（２００）と前記係合要素（２２）とが係合されたときに、前記伝達要素（２００）が前記アンカー部材（１２）に回転の駆動力を加えるように構成されている、請求項２に記載のシステム。
【請求項４】
前記アンカー部材（１２）が、ヘッド（２６）と、前記ヘッド（２６）から前記遠位方向に延在するシャフト（２８）と、を有する骨ねじ（２５）を含み、前記ヘッド（２６）が前記係合要素（２２）を画定する、請求項１に記載のシステム。
【請求項５】
前記係合要素（２２）が、前記アンカー部材（１２）から半径方向外側に延在する複数の突起部（３６）を含み、前記複数の突起部（３６）のそれぞれが、凹部によって前記複数の突起部（３６）のうちの円周方向に連続する突起部（３６）から分離されている、請求項４に記載のシステム。
【請求項６】
前記伝達要素（２００）が、前記受容部材（１０６）の前記内側表面（１４６）から半径方向内側に延在する複数のタブ（２０２）を含み、前記複数のタブ（２０２）のそれぞれは、前記複数の突起部（３６）のうちの円周方向に連続する突起部（３６）の間の前記凹部に配置可能である、請求項５に記載のシステム。
【請求項７】
前記複数の突起部（３６）のそれぞれが、回転先行面（３８ａ）と、前記回転先行面（３８ａ）と平行な回転後続面（３８ｂ）と、を備える、請求項６に記載のシステム。
【請求項８】
前記複数の突起部（３６）のそれぞれの回転先行面（３８ａ）は、前記複数の突起部（３６）のうちの円周方向に連続する突起部（３６）の回転後続面（３８ｂ）に対して垂直である、請求項７に記載のシステム。
【請求項９】
前記複数のタブ（２０２）のそれぞれが、回転先行面（２０８）及び回転後続面（２１０）を画定し、前記複数のタブ（２０２）及び前記複数の突起部（３６）は、前記複数のタブ（２０２）の前記回転先行面（２０８）のそれぞれが前記複数の突起部（３６）の関連する回転後続面（３８ｂ）と当接するときに、前記複数のタブ（２０２）の前記回転先行面（２０８）のそれぞれが、前記複数の突起部（３６）の前記関連する回転後続面（３８ｂ）と平行になるように、協働的にサイズ決めされ構成されている、請求項８に記載のシステム。
【請求項１０】
前記受容部材（１０６）の前記近位端（１１２）に取り付け可能であり、前記長手方向軸（Ｚ）を中心に前記受容部材（１０６）を回転させて前記アンカー部材（１２）を骨に打ち込むように構成された、ドライバ（１０２）であって、
前記係合要素（２２）が、前記アンカー部材（１２）の第１係合要素（３６）であり、前記アンカー部材（１２）が、第２係合要素（４６）を含み、
第１の動作モードでは、前記伝達要素（２００）は、前記アンカー部材（１２）を前記長手方向軸（Ｚ）の周りで回転させるように、前記第１係合要素（３６）及び前記第２係合要素（４６）と係合するように構成されており、
第２の動作モードでは、前記伝達要素（２００）は、前記第１係合要素（３６）から分離され、前記第２係合要素（４６）に結合されたままであるように構成されている、ドライバ（１０２）と、
前記ドライバ（１０２）及び前記受容部材（１０６）のそれぞれに連結されたカプラ（１７０）であって、その結果、前記第１の動作モードの第１の部分の間に、前記ドライバ（１０２）及び前記受容部材（１０６）が、前記長手方向軸（Ｚ）に沿って互いに対して並進可能に固定され、前記第１の動作モードの第２の部分の間、前記ドライバ（１０２）及び前記受容部材（１０６）が、前記長手方向軸（Ｚ）に沿って互いに対して並進可能になる、カプラ（１７０）と、を更に備える、請求項１に記載のシステム。
【請求項１１】
前記伝達要素（２００）が、前記受容部材（１０６）の前記遠位端（１１４）に隣接して位置し、前記伝達要素（２００）が、前記受容部材（１０６）の前記内側表面（１４６）から前記長手方向軸（Ｚ）に向かって半径方向内側に延在するタブ（２０２）を備え、前記タブ（２０２）が近位端（２０４）及び遠位端（２０６）を画定し、前記タブ（２０２）の前記遠位端（２０６）が、前記タブ（２０２）の前記近位端（２０４）から前記遠位方向に離間され、前記タブ（２０２）の前記遠位端（２０６）は前記受容部材（１０６）の前記遠位端（１１４）と隣接する、請求項１０に記載のシステム。
【請求項１２】
前記タブ（２０２）が、
前記受容部材（１０６）が前記長手方向軸（Ｚ）の周りを回転するとき、回転先行面（２０８）及び回転後続面（２１０）と、
前記回転先行面（２０８）と隣接する回転先行エッジ（２１４）と、前記タブ（２０２）の前記遠位端と隣接する回転後続エッジ（２１６）と、を有する傾斜面（２１２）と、を更に備える、請求項１１に記載のシステム。
【請求項１３】
前記受容部材（１０６）の前記遠位端（１１４）が、前記傾斜面（２１２）の前記回転先行エッジ（２１４）から前記遠位方向に第１の距離だけ離間され、
前記タブ（２０２）は、前記受容部材（１０６）の前記遠位端（１１４）が、前記第１の複数の係合要素（３６）のそれぞれの近位端から前記第１の距離よりも短い第２の距離だけ前記遠位方向に離間されるまで、前記長手方向軸（Ｚ）の周りの前記受容部材（１０６）の回転に応答して前記アンカー部材（１２）を骨に打ち込むように構成されている、請求項１２に記載のシステム。
【請求項１４】
前記受容部材（１０６）が、ガイド要素（１６６）を備え、前記ドライバ（１０２）が、前記ドライバ（１０２）に対する前記受容部材（１０６）の回転位置を制御するように前記ガイド要素（１６６）内を移動するように構成されたフォロワ（１６２）を備える、請求項１０に記載のシステム。
【請求項１５】
前記ドライバ（１０２）が、
前記長手方向軸（Ｚ）と一致する中心軸を有する穴（１８０）であって、前記アンカー部材（１２）の近位端（６）を受容するようにサイズ決めされ構成された穴（１８０）と、
前記穴（１８０）内に受容された保持要素（１８６）であって、前記アンカー部材（１２）が前記アンカー部材（１２）の重力に応答して前記穴（１８０）から外れるのを防ぐように、前記アンカー部材（１２）と係合するように構成されている、保持要素（１８６）と、を備える、請求項１０に記載のシステム。